(57)【要約】【課題】流体管の劣化を遅らせることができるとともに、流体管内における微生物の繁殖を抑制することができる被覆流体管及び被覆流体管装置を提供する。【解決手段】被覆流体管１１は、合成樹脂製の二本の通水管１２の外周面が被覆層１３により被覆されて形成されている。前記被覆層１３は、同被覆層１３の最外周に形成された表示層１４と、同表示層１４の内側に設けられる遮断層１５とより形成されている。前記表示層１４は、前記通水管１２を追焚き用に使用することを外部から識別可能とすべく白色に着色されている。また、前記遮断層１５は、暗色の合成樹脂材料製の断熱材により形成されて可視光線を遮断する。【選択図】      図１
2004340223.tif 000002
【特許請求の範囲】
【請求項１】
内部を流体が流通する合成樹脂製の流体管の外周面が被覆層により被覆された被覆流体管であって、
前記被覆層は、同被覆層の最外周を形成する表示層と、同表示層の内側に設けられた遮断層とを少なくとも含む複数層に形成され、前記表示層は、前記流体管の内部を流通する流体と対応するように予め設定された色に着色されているとともに、前記遮断層は、その厚み方向の全体又は一部が、暗色の合成樹脂材料製の断熱材により形成されていることを特徴とする被覆流体管。
【請求項２】
前記表示層は、同表示層の最外周に設けられた外周フィルムを備え、その外周フィルムが前記色に着色されていることを特徴とする請求項１に記載の被覆流体管。
【請求項３】
内部を冷水が流通する合成樹脂製の流体管の外周面が被覆層により被覆された被覆流体管であって、前記被覆層は、同被覆層の最外周を形成する表示層と、同表示層の内側に設けられた遮断層とを少なくとも含む複数層に形成され、前記表示層は、前記流体管の内部を冷水が流通することを外部から識別可能とすべく前記冷水と対応するように予め設定された寒色系の色に着色されているとともに、前記遮断層は、その厚み方向の全体又は一部が、暗色の合成樹脂材料製の断熱材により形成されていることを特徴とする被覆流体管。
【請求項４】
内部を温水が流通する合成樹脂製の流体管の外周面が被覆層により被覆された被覆流体管であって、前記被覆層は、同被覆層の最外周を形成する表示層と、同表示層の内側に設けられた遮断層とを少なくとも含む複数層に形成され、前記表示層は、前記流体管の内部を温水が流通することを外部から識別可能とすべく前記温水と対応するように予め設定された暖色系の色に着色されているとともに、前記遮断層は、その厚み方向の全体又は一部が、暗色の合成樹脂材料製の断熱材により形成されていることを特徴とする被覆流体管。
【請求項５】
内部を流体が流通する合成樹脂製の二本の流体管の外周面が被覆層により被覆された被覆流体管であって、前記被覆層は、同被覆層の最外周を形成する表示層と、同表示層の内側に設けられた遮断層とを少なくとも含む複数層に形成され、前記表示層は、前記流体管の使用方法を外部から識別可能とすべく前記使用方法と対応するように予め設定された色に着色されているとともに、前記遮断層は、その厚み方向の全体又は一部が、暗色の合成樹脂材料製の断熱材により形成されていることを特徴とする被覆流体管。
【請求項６】
前記二本の流体管の内部に温水を循環させて風呂の追焚き用として使用されることを特徴とする請求項５に記載の被覆流体管。
【請求項７】
前記二本の流体管の内部に温水を循環させて暖房用として使用されることを特徴とする請求項５に記載の被覆流体管。
【請求項８】
内部を冷水が流通する合成樹脂製の流体管の外周面が被覆層により被覆された冷水用被覆流体管と、内部に温水が流通する合成樹脂製の流体管の外周面が被覆層により被覆された温水用被覆流体管とより構成される被覆流体管装置であって、前記各被覆層は、それぞれ同被覆層の最外周を形成する表示層と、同表示層の内側に設けられた遮断層とを少なくとも含む複数層に形成され、前記冷水用被覆流体管の表示層と、温水用被覆流体管の表示層とが互いに異なる色に着色されることにより、冷水用被覆流体管と温水用被覆流体とが外部から識別可能に形成されているとともに、前記各遮断層はそれぞれ厚み方向の全体又は一部が、暗色の合成樹脂材料製の断熱材により形成されていることを特徴とする被覆流体管装置。
【請求項９】
内部を温水が循環する合成樹脂製の一対の流体管の外周面が被覆層により被覆され、風呂の追焚き用に使用される追焚き用の被覆流体管と、内部を温水が循環する合成樹脂製の一対の流体管の外周面が被覆層により被覆され、暖房用に使用される暖房用の被覆流体管とより構成される被覆流体管装置であって、前記各被覆層は、それぞれ同被覆層の最外周を形成する表示層と、同表示層の内側に設けられた遮断層とを少なくとも含む複数層に形成され、前記追焚き用の被覆流体管の表示層と、暖房用の被覆流体管の表示層とが互いに異なる色に着色されることにより、追焚き用の被覆流体管と暖房用の被覆流体管とが外部から識別可能に形成されているとともに、前記各遮断層はそれぞれ厚み方向の全体又は一部が、暗色の合成樹脂材料製の断熱材により形成されていることを特徴とする被覆流体管装置。
【発明の詳細な説明】
【０００１】
【発明の属する技術分野】
本発明は、建築物等に配管される流体管の劣化を遅らせ、さらに、流体管内における微生物等の繁殖を抑制することができる被覆流体管及び被覆流体管装置に関する。
【０００２】
【従来の技術】
従来より、建築物内において、例えばトイレ、風呂等の湯水消費側に湯水を供給するために被覆流体管が使用されている（例えば、非特許文献１参照。）。この被覆流体管は、架橋ポリエチレン製の流体管としての通水管が、架橋ポリエチレン発泡体製の被覆層により被覆されて形成されている。前記被覆層は流体管の外周に設けられた白色の架橋ポリエチレン発泡体と、その架橋ポリエチレン発泡体の外周面に設けられたフィルムとにより形成されている。そして、前記被覆層により流体管が保護され、運搬時等に流体管が損傷を受ける不具合を防止することができる。また、上記被覆流体管は内部を温水が流通する温水用と、冷水が流通する冷水用と区別して使用されている。そして、上記種類を外部から識別可能とするため、温水用の被覆流体管は前記フィルムがピンク色に着色され、冷水用の被覆流体管はフィルムが青色に着色されている。
【０００３】
【非特許文献１】
「ミライ管材総合カタログ，ｖｏｌ．５」，未来工業株式会社，平成１４年５月，ｐ．８，１２
【０００４】
【発明が解決しようとする課題】
ところが、上記従来の被覆流体管においては、上記フィルムはピンク色又は青色といった有彩色に着色されているため、太陽光の可視光線の透過率が大きい。
一方、架橋ポリエチレン発泡体は白色に形成されているため、可視光線の透過率が非常に大きい。その結果、被覆層及び架橋ポリエチレン発泡体を透過した可視光線により流体管が劣化してしまうとともに、その流体管を透過し、流体管内に残存した水内に微生物が存在する場合、その微生物が可視光線によって光合成を行い、繁殖する虞があるという問題があった。
【０００５】
本発明は、上記従来技術に存在する問題点に着目してなされたものである。その目的とするところは、流体管の劣化を遅らせることができるとともに、流体管内における微生物の繁殖を抑制することができる被覆流体管及び被覆流体管装置を提供することにある。
【０００６】
【課題を解決するための手段】
上記問題点を解決するために、請求項１に記載の発明は、内部を流体が流通する合成樹脂製の流体管の外周面が被覆層により被覆された被覆流体管であって、前記被覆層は、同被覆層の最外周を形成する表示層と、同表示層の内側に設けられた遮断層とを少なくとも含む複数層に形成され、前記表示層は、前記流体管の内部を流通する流体と対応するように予め設定された色に着色されているとともに、前記遮断層は、その厚み方向の全体又は一部が、暗色の合成樹脂材料製の断熱材により形成されていることを要旨とする。
【０００７】
請求項２に記載の発明は、請求項１に記載の被覆流体管において、前記表示層は、同表示層の最外周に設けられた外周フィルムを備え、その外周フィルムが前記色に着色されていることを要旨とする。
【０００８】
請求項３に記載の発明は、内部を冷水が流通する合成樹脂製の流体管の外周面が被覆層により被覆された被覆流体管であって、前記被覆層は、同被覆層の最外周を形成する表示層と、同表示層の内側に設けられた遮断層とを少なくとも含む複数層に形成され、前記表示層は、前記流体管の内部を冷水が流通することを外部から識別可能とすべく前記冷水と対応するように予め設定された寒色系の色に着色されているとともに、前記遮断層は、その厚み方向の全体又は一部が、暗色の合成樹脂材料製の断熱材により形成されていることを要旨とする。
【０００９】
請求項４に記載の発明は、内部を温水が流通する合成樹脂製の流体管の外周面が被覆層により被覆された被覆流体管であって、前記被覆層は、同被覆層の最外周を形成する表示層と、同表示層の内側に設けられた遮断層とを少なくとも含む複数層に形成され、前記表示層は、前記流体管の内部を温水が流通することを外部から識別可能とすべく前記温水と対応するように予め設定された暖色系の色に着色されているとともに、前記遮断層は、その厚み方向の全体又は一部が、暗色の合成樹脂材料製の断熱材により形成されていることを要旨とする。
【００１０】
請求項５に記載の発明は、内部を流体が流通する合成樹脂製の二本の流体管の外周面が被覆層により被覆された被覆流体管であって、前記被覆層は、同被覆層の最外周を形成する表示層と、同表示層の内側に設けられた遮断層とを少なくとも含む複数層に形成され、前記表示層は、前記流体管の使用方法を外部から識別可能とすべく前記使用方法と対応するように予め設定された色に着色されているとともに、前記遮断層は、その厚み方向の全体又は一部が、暗色の合成樹脂材料製の断熱材により形成されていることを要旨とする。
【００１１】
請求項６に記載の発明は、請求項５に記載の被覆流体管において、前記二本の流体管の内部に温水を循環させて風呂の追焚き用として使用されることを要旨とする。
【００１２】
請求項７に記載の発明は、請求項５に記載の被覆流体管において、前記二本の流体管の内部に温水を循環させて暖房用として使用されることを要旨とする。
請求項８に記載の発明は、内部を冷水が流通する合成樹脂製の流体管の外周面が被覆層により被覆された冷水用被覆流体管と、内部に温水が流通する合成樹脂製の流体管の外周面が被覆層により被覆された温水用被覆流体管とより構成される被覆流体管装置であって、前記各被覆層は、それぞれ同被覆層の最外周を形成する表示層と、同表示層の内側に設けられた遮断層とを少なくとも含む複数層に形成され、前記冷水用被覆流体管の表示層と、温水用被覆流体管の表示層とが互いに異なる色に着色されることにより、冷水用被覆流体管と温水用被覆流体とが外部から識別可能に形成されているとともに、前記各遮断層はそれぞれ厚み方向の全体又は一部が、暗色の合成樹脂材料製の断熱材により形成されていることを要旨とする。
【００１３】
請求項９に記載の発明は、内部を温水が循環する合成樹脂製の一対の流体管の外周面が被覆層により被覆され、風呂の追焚き用に使用される追焚き用の被覆流体管と、内部を温水が循環する合成樹脂製の一対の流体管の外周面が被覆層により被覆され、暖房用に使用される暖房用の被覆流体管とより構成される被覆流体管装置であって、前記各被覆層は、それぞれ同被覆層の最外周を形成する表示層と、同表示層の内側に設けられた遮断層とを少なくとも含む複数層に形成され、前記追焚き用の被覆流体管の表示層と、暖房用の被覆流体管の表示層とが互いに異なる色に着色されることにより、追焚き用の被覆流体管と暖房用の被覆流体管とが外部から識別可能に形成されているとともに、前記各遮断層はそれぞれ厚み方向の全体又は一部が、暗色の合成樹脂材料製の断熱材により形成されていることを要旨とする。
【００１４】
【発明の実施の形態】
（第１の実施形態）
以下、本発明を具体化した被覆流体管の一実施形態を図１及び図２にしたがって説明する。
【００１５】
図１及び図２に示すように、被覆流体管１１は、流体管としての二本の通水管１２全体の外周面が被覆層１３により被覆されて形成されている。即ち、各通水管１２がそれぞれ被覆層１３に被覆されているのではなく、二本の通水管１２が一体化された状態で被覆層１３に被覆されている。前記通水管１２はそれぞれポリオレフィン系の合成樹脂材料により円筒状に形成されている。ポリオレフィン系の合成樹脂材料としてはポリエチレン、ポリブテン等が挙げられ、本実施形態では架橋ポリエチレンが使用されている。そして、通水管１２の内部を流体としての温水が流通可能になっている。
【００１６】
前記被覆層１３は、同被覆層１３の最外周を形成する表示層１４と、同表示層１４の内側に設けられた遮断層１５とより複数層（２層）に形成されている。前記遮断層１５は断熱材によって形成され、黒色に着色された架橋ポリエチレンの発泡体よりなる断熱層１５ａと、その断熱層１５ａの外周面に貼着されたフィルム層１５ｂとより形成されている。図１にハッチングに示すように、前記断熱層１５ａは架橋ポリエチレンの発泡体を製造するときに、その架橋ポリエチレン材料に黒色の着色顔料（カーボンブラック）が添加されて黒色に着色されている。
また、前記フィルム層１５ｂはポリエチレンフィルム、ポリエチレンテレフタレート（ＰＥＴ）フィルム又はアルミニウム箔により形成され、黒色に着色されている。そして、前記断熱層１５ａは遮断層１５の厚み方向のほぼ全体を構成し、フィルム層１５ｂが遮断層１５の厚み方向の一部を構成している。上記遮断層１５は、可視光線の透過を遮断する機能を有するとともに、通水管１２の内部と外部との間を遮断して温水の熱が奪われるのを防止する機能を有する。
【００１７】
一方、前記表示層１４は、前記フィルム層１５ｂの外周に設けられた断熱層１４ａと、同断熱層１４ａの外周面に設けられた外周フィルム１４ｂとより形成されている。前記断熱層１４ａは前記断熱層１５ａと同じ架橋ポリエチレンの発泡体により形成されているが、着色顔料が使用されていないため、白色になっている。また、被覆流体管１１における前記外周フィルム１４ｂは、前記フィルム層１５ｂと同じ材料により形成され、全体が白色に着色されている。そして、上記表示層１４により、被覆流体管１１は外部から白色に視認され、外周フィルム１４ｂにより被覆層１３全体が外部要因から保護される。なお、配管作業現場において、外周フィルム１４ｂにより被覆流体管１１が白色に視認された場合、その白色により被覆流体管１１が風呂の追焚きの配管に使用するものと予め設定する。
【００１８】
さて、上記被覆流体管１１の使用方法及び作用について説明する。
まず、前記被覆流体管１１が建築物の設計図により予め設定された追焚き用の配管経路に沿って配管される。即ち、被覆流体管１１における両通水管１２は、一端がそれぞれ風呂釜に設けられた循環金具（図示せず）に接続され、他端がそれぞれ給湯器（図示せず）に接続される。このとき、給湯器は建築物の外部に設けられているため、被覆流体管１１は建築物の壁を貫通して建築物外へ引き出されて給湯器に接続されている。そして、被覆流体管１１により風呂釜と給湯器とが接続され、被覆層１３により両通水管１２は外周面が外部に露出せず保護される。また、風呂釜内の湯（温水）は一方の通水管１２内を流通して前記給湯器へと供給され、その給湯器で加熱された湯（温水）は他方の通水管１２内を流通して風呂釜内に戻される。
【００１９】
さて、建築物の外部に配設された被覆流体管１１には太陽光が照射される。このとき、可視光線は、外周フィルム１４ｂ及び断熱層１４ａにより若干反射される。特に、外周フィルム１４ｂにより可視光線が断熱層１４ａに直接的に照射されることが防止され、断熱層１４ａひいては遮断層１５の劣化の速度を遅らせることができる。さらに、外周フィルム１４ｂ及び断熱層１４ａを透過した可視光線は、黒色に形成されたフィルム層１５ｂ及び断熱層１５ａによって反射される。そのため、可視光線は被覆層１３により遮断され、通水管１２に可視光線が照射されない。また、可視光線のうちの紫外線は通水管１２を形成する合成樹脂材料、外周フィルム１４ｂ、フィルム層１５ｂさらには着色顔料に吸収、反射されるため、通水管１２に照射されない。
【００２０】
なお、被覆流体管１１を長期に亘って使用し、万一、表示層１４が劣化した場合は、表示層１４をナイフ等により切断して古い表示層１４を除去する。そして、新しい表示層１４を遮断層１５の外周面に巻き付けて貼着することにより表示層１４を取り替えることができる。
【００２１】
上記実施形態の被覆流体管１１によれば、以下のような効果を得ることができる。
（１）通水管１２の外周に被覆層１３を設け、その被覆層１３を表示層１４と遮断層１５とより構成した。そして、遮断層１５の断熱層１５ａ及びフィルム層１５ｂをそれぞれ黒色に形成した。そのため、断熱層１５ａ及びフィルム層１５ｂにより可視光線を遮断して、同可視光線が通水管１２に照射されることを防止することができる。従って、通水管１２内に滞留する水内に万一微生物が存在した場合、その微生物が可視光線を光源として光合成活動する量を抑えて同微生物の繁殖を抑制することができる。
【００２２】
（２）紫外線は被覆層１３に吸収、反射されるため、通水管１２内の水に紫外線が照射されるのを防止することができる。そのため、水に対する紫外線照射による水の温度上昇が抑制され、その温度上昇に伴う微生物の繁殖を抑制することができる。また、紫外線照射による通水管１２の劣化を遅らせることができる。
【００２３】
（３）表示層１４の外周フィルム１４ｂは白色に形成されている。そのため、建築物外に配管された被覆流体管１１を外部から見たとき、被覆流体管１１が追焚き用に配管されたものであることを識別することができる。従って、被覆流体管１１が何を目的として敷設されているかを確かめるため、被覆流体管１１を辿っていく手間を省くことができる。また、被覆流体管１１の施工後の保守、点検作業時に、被覆流体管１１の接続先を確認する作業を省くことができ、保守、点検等を容易に行うことができる。
【００２４】
（４）被覆層１３は２層の断熱層１４ａ，１５ａを備えている。そのため、通水管１２内を流通する温水の熱が奪われる不具合をなくすことができる。
（５）被覆層１３には外周フィルム１４ｂ及びフィルム層１５ｂが設けられている。そのため、それら外周フィルム１４ｂ及びフィルム層１５ｂにより、可視光線が断熱層１４ａ，１５ａに直接的に照射されるのを防止することができる。従って、断熱層１４ａ，１５ａが劣化する速度を遅くすることができ、被覆流体管１１の耐候性を高めることができる。
【００２５】
（６）被覆層１３は表示層１４と遮断層１５の２層構造に形成されている。そのため、万一、表示層１４が劣化しても、遮断層１５により可視光線が通水管１２に直接的に照射されることを防止することができる。
【００２６】
（第２の実施形態）
次に、本発明を具体化した被覆流体管及び被覆流体管装置を図３及び図４にしたがって説明する。
【００２７】
図３に示すように、第２の実施形態の被覆流体管装置２１は、冷水用被覆流体管２２と、温水用被覆流体管２３とより構成されている。前記冷水用被覆流体管２２は、一本の流体管としての通水管２４の外周面が被覆層２５により被覆されて形成されている。前記通水管２４は前記通水管１２と同じものが使用され、内部を流体としての冷水が流通可能になっている。図４に示すように、前記被覆層２５は、同被覆層２５の最外周を形成する表示層２６と、同表示層２６の内側に設けられた遮断層２７とより複数層（２層）に形成されている。前記遮断層２７は前記遮断層１５と同じ材質により形成され、断熱層２７ａと、フィルム層２７ｂとより形成されている。即ち、図３にハッチングに示すように、断熱層２７ａ及びフィルム層２７ｂはそれぞれ黒色に着色されている。
【００２８】
一方、図４に示すように、前記表示層２６も前記表示層１４と同じ材質により形成され、前記フィルム層２７ｂの外周に設けられた断熱層２６ａと、同断熱層２６ａの外周面に設けられた外周フィルム２６ｂとより形成されている。ここで、図３に示すように、前記外周フィルム２６ｂは寒色系の色（青色）に着色されている。なお、前記寒色系の色は、その色を見た者に寒い感じを与える色のことであり、例えば前記青色、緑色等が挙げられる。配管作業現場において、外周フィルム２６ｂにより冷水用被覆流体管２２が青色に視認された場合、その青色により冷水用被覆流体管２２内の通水管２４の内部を冷水が流通しているものと予め設定する。
【００２９】
図３及び図４に示すように、前記温水用被覆流体管２３は上記冷水用被覆流体管２２とほぼ同じ構成となるように形成されている。即ち、前記通水管２４の外周面が被覆層２８により被覆され、その被覆層２８は、表示層２９と遮断層３０とより複数層（２層）に形成されている。前記遮断層３０は、断熱層３０ａと、フィルム層３０ｂとより形成され、図３にハッチングに示すように、断熱層３０ａ及びフィルム層３０ｂはそれぞれ黒色に着色されている。一方、図４に示すように、前記表示層２９も断熱層２９ａと、外周フィルム２９ｂとより形成され、外周フィルム２９ｂは暖色系の色（赤色）に着色されている。なお、前記暖色は、その色を見た者に暖かい感じを与える色のことであり、例えば前記赤色、橙色、ピンク色、黄色等が挙げられる。配管作業現場において、外周フィルム２９ｂにより温水用被覆流体管２３が赤色に視認された場合、その赤色により温水用被覆流体管２３内の通水管２４の内部を温水が流通しているものと予め設定する。
【００３０】
そして、図３にハッチングに示すように、上記構成の冷水用被覆流体管２２と温水用被覆流体管２３とにおいて、冷水用被覆流体管２２の外周フィルム２６ｂが青色に着色され、温水用被覆流体管２３の外周フィルム２９ｂが赤色に着色されて互いに異なる色となっている。
【００３１】
さて、上記被覆流体管装置２１を使用するには、まず、建築物の室内の床や壁等の施工前に、前記冷水用被覆流体管２２及び温水用被覆流体管２３が建築物の設計図により予め設定された湯水供給経路に沿って配管される。次に、前記冷水用被覆流体管２２及び温水用被覆流体管２３の端部がそれぞれ床の表側に臨むように、床が設置される。続いて、温水用被覆流体管２３の一端部が温水供給側の分岐ヘッダー（図示せず）に接続され、他端部が温水消費側の水栓器具に接続されて配管される。同様に、冷水用被覆流体管２２の一端部が冷水供給側の分岐ヘッダー（図示せず）に接続され、他端部が冷水消費側の水栓器具に接続されて配管される。
【００３２】
このとき、温水用被覆流体管２３の外周フィルム２９ｂは赤色に形成されているとともに、冷水用被覆流体管２２の外周フィルム２６ｂは青色に形成され、冷水用被覆流体管２２と温水用被覆流体管２３とは互いに異なる色に着色されている。そのため、冷水用被覆流体管２２及び温水用被覆流体管２３の配管後、どちらが冷水用でどちらが温水用かを識別できる。そして、各被覆層２５，２８により通水管２４の外周面が外部に露出せず、風雨、化学薬品等に直接的に晒されることなく保護される。また、冷水用被覆流体管２２及び温水用被覆流体管２３に太陽光が照射されても、第１の実施形態と同様に、遮断層２７，３０によって反射され、紫外線は被覆層２５，２８により吸収、反射されるため、通水管２４に照射される紫外線の量も抑えられる。
【００３３】
従って、第２の実施形態によれば、第１の実施形態と同様の効果を発揮することができるとともに、温水用被覆流体管２３は赤色に視認することができ、冷水用被覆流体管２２は青色に視認することができる。そのため、温水用と冷水用とを外部から速やかに識別することができる。従って、冷水用被覆流体管２２及び温水用被覆流体管２３の施工後の保守、点検作業時に、流通する流体を触って温水又は冷水を識別して冷水用被覆流体管２２か温水用被覆流体管２３かを確認する作業を省くことができ、保守、点検等を容易に行うことができる。
【００３４】
なお、各実施形態は以下のように変更してもよい。
・  第１の実施形態において、外周フィルム１４ｂの色を、例えば緑色に変更して、被覆流体管１１を床暖房用のために床下に配管してもよい。このように構成した場合、二本の通水管１２内を温水が循環する。
【００３５】
・  第１の実施形態で用いた追焚き用の被覆流体管１１と、その被覆流体管１１における外周フィルム１４ｂの色が緑色に着色された暖房用の被覆流体管とを組み合わせ、四本の通水管１２を備えた被覆流体管装置を構成してもよい。この被覆流体管装置を使用するには、熱源器が必要とされるが、この熱源器には、追焚き用の被覆流体管１１を接続するための一対の接続口と、暖房用の被覆流体管を接続するための一対の接続口とが別々に設けられている。追焚き用として熱源器から供給される温水と、暖房用として熱源器から供給される温水とはその温度が異なるため、各接続口は区別されている。
【００３６】
そして、上記被覆流体管装置を使用するには、追焚き用の一対の接続口に、追焚き用の被覆流体管１１の一対の通水管１２をそれぞれ接続する。次に、熱源器において、暖房用の一対の接続口に、暖房用の被覆流体管の一対の通水管１２をそれぞれ接続する。その結果、追焚き用の被覆流体管１１の一対の通水管１２内を温水が循環して風呂の湯が熱せられ、暖房用の被覆流体管の一対の通水管１２内を温水が循環して暖房される。このように構成した場合、熱源器に追焚き用の被覆流体管１１と暖房用の被覆流体管を接続するとき、追焚き用又は暖房用に予め区別された接続口に対して接続すべき被覆流体管を間違えることなく接続することができる。
【００３７】
・  第１の実施形態において、外周フィルム１４ｂの色を暖色系（赤色、朱色、ピンク色、黄色等）、寒色系（青色、緑色、紺色、紫色等）等の任意の色に変更し、その変更した色を用いることにより、被覆流体管１１が風呂釜の追焚き用に使用されることを予め設定してもよい。
【００３８】
・  第１の実施形態において、二本の通水管１２を一括して被覆層１３により被覆したが、通水管１２を一本ずつ被覆層１３により被覆し、被覆層１３の外面同士を接合して第１の実施形態の被覆流体管１１としてもよい。
【００３９】
・  第２の実施形態では、冷水用被覆流体管２２の外周フィルム２６ｂを青色に形成したが、寒色系の色として外周フィルム２６ｂを緑色、紺色、紫色等に変更してもよい。一方、温水用被覆流体管２３の外周フィルム２９ｂを赤色に形成したが、暖色系の色として外周フィルム２９ｂを朱色、ピンク色、黄色等に変更してもよい。
【００４０】
・  各実施形態では、各フィルム層１５ｂ，２７ｂ，３０ｂ及び断熱層１５ａ，２７ａ，３０ａをそれぞれ黒色に形成したが、各フィルム層１５ｂ，２７ｂ，３０ｂ及び断熱層１５ａ，２７ａ，３０ａの少なくともいずれか一方を灰色、茶色等に変更してもよい。また、各実施形態では、各フィルム層１５ｂ，２７ｂ，３０ｂ及び断熱層１５ａ，２７ａ，３０ａの全体を黒色としたが、断熱層１５ａ，２７ａ，３０ａの半分のみを黒色に着色したり、一部分のみを黒色に着色したりしてもよい。
【００４１】
・  各実施形態において、被覆層１３，２５，２８に紫外線吸収剤及び熱老化防止剤のうちの少なくともいずれか一方を含有させてもよい。
・  第１の実施形態では、表示層１４の断熱層１４ａを白色にしたが、断熱層１４ａの製造時に黒色の着色顔料を用いて断熱層１４ａを黒色に着色してもよく、第２の実施形態でも、断熱層２６ａ，２９ａを黒色に着色してもよい。
【００４２】
・  第１の実施形態では、表示層１４の外周フィルム１４ｂを白色にして視認可能としたが、外周フィルム１４ｂを省略し、表示層１４を白色の断熱層１４ａのみとし、その断熱層１４ａにより外部から視認可能としてもよい。又は外周フィルム１４ｂを透明フィルムとして、断熱層１４ａの白色を外周フィルム１４ｂを透過させて被覆流体管１１を白色に視認可能としてもよい。さらには、表示層１４の断熱層１４ａを省略し、表示層１４を白色に着色された外周フィルム１４ｂのみとしてもよい。
【００４３】
・  第２の実施形態では、表示層２６，２９の外周フィルム２６ｂ，２９ｂを各色に着色して外部から視認可能としたが、外周フィルム２６ｂ，２９ｂを省略して断熱層２６ａ，２９ａを各色に着色して外部から視認可能としてもよい。又は外周フィルム２６ｂ，２９ｂを透明フィルムとして、各色に着色された断熱層２６ａ，２９ａを外周フィルム２６ｂ，２９ｂを透過させて各色に視認可能としてもよい。さらには、断熱層２６ａ，２９ａを省略し、表示層２６，２９を各色に着色された外周フィルム２６ｂ，２９ｂのみとしてもよい。
【００４４】
・  各実施形態では、被覆層１３，２５，２８を表示層１４，２６，２９と、遮断層１５，２７，３０との２層構造としたが、表示層１４，２６，２９と、遮断層１５，２７，３０との間に、制振材や吸音材等を設けて被覆層１３，２５，２８を３層以上の構成としてもよい。さらに、表示層１４，２６，２９の他に遮断層１５，２７，３０を２層以上設けて被覆層１３，２５，２８を３層以上の構成としてもよい。
【００４５】
・  各実施形態では、外周フィルム１４ｂ，２６ｂ，２９ｂの全体を着色したが、外周フィルム１４ｂ，２６ｂ，２９ｂの軸線方向又は周方向に沿った一部を着色したりして外周フィルム１４ｂ，２６ｂ，２９ｂを部分的に着色してもよい。
【００４６】
・  各実施形態では、流体管として通水管１２，２４に具体化したが、エアコン用冷媒管、ガス管等に具体化してもよい。
なお、本発明を具体化した実施形態ではなく、参考例としての被覆流体管を以下に示す。
【００４７】
参考例としての被覆流体管は、内部を流体が流通する合成樹脂製の流体管の外周面が被覆層により被覆されて形成されている。前記被覆層は、同被覆層の最外周を形成する表示層と、同表示層の内側に設けられた遮断層とを含む２層に形成されている。前記表示層は外周フィルムと断熱層とよりなり、遮断層は断熱層と、フィルム層とより形成されている。また、表示層の断熱層と、遮断層の断熱層と、フィルム層とはそれぞれ白色に形成され、遮断層は黒色に着色されていない。なお、表示層の外周フィルムの色は、流体管の内部を流通する流体と対応するように予め設定された色に変更し、その流体の色により識別可能としてもよい。
【００４８】
このように構成した場合、被覆層は表示層と遮断層の２層構造に形成されている。そのため、万一、表示層が劣化しても、遮断層により可視光線が流体管に直接的に照射されることを防止することができる。また、被覆層には外周フィルム及びフィルム層が設けられている。そのため、それら外周フィルム及びフィルム層により、可視光線が断熱層に直接的に照射されるのを防止することができる。従って、断熱層が劣化する速度を遅くすることができ、被覆流体管の耐候性を高めることができる。さらには、表示層が劣化しても、表示層のみを取り替えることにより、被覆層を再び２層構造とすることができる。そのため、被覆層が１層だけで形成されている場合と異なり、流体管を長期に渡って保護することができる。なお、参考例の被覆流体管は、内部の流体管を一本又は二本としてもよく、被覆流体管同士を組み合わせて被覆流体管装置としてもよい。さらに、表示層の外周フィルムを省略し、表示層を断熱層のみとし、その断熱層を着色して外部から視認可能としてもよい。又は外周フィルムを透明フィルムとして、断熱層の色外周フィルムを透過させて視認可能としてもよい。さらには、表示層の断熱層を省略し、表示層を着色された外周フィルムのみとしてもよい。
【００４９】
次に、上記実施形態及び別例から把握できる技術的思想について以下に追記する。
・  内部を流体が流通する合成樹脂製の流体管の外周面が被覆層により被覆された被覆流体管であって、前記被覆層は、同被覆層の最外周を形成する表示層と、同表示層の内側に設けられた遮断層とを含む複数層に形成され、前記表示層は、前記流体管の内部を流通する流体と対応するように予め設定された色に着色されているとともに、前記遮断層は合成樹脂材料製の断熱材により形成されていることを特徴とする被覆流体管。
【００５０】
【発明の効果】
本発明によれば、流体管の劣化を遅らせることができるとともに、流体管内における微生物の繁殖を抑制することができる。
【図面の簡単な説明】
【図１】第１の実施形態の被覆流体管を示す斜視図。
【図２】第１の実施形態の被覆流体管を示す図１の２−２線断面図。
【図３】第２の実施形態の被覆流体管装置を示す斜視図。
【図４】第２の実施形態の被覆流体管装置を示す図３の４−４線断面図。
【符号の説明】
１１…被覆流体管、１２，２４…流体管としての通水管、１３，２５，２８…被覆層、１４，２６，２９…表示層、１４ｂ，２６ｂ，２９ｂ…外周フィルム、１５，２７，３０…遮断層、２１…被覆流体管装置、２２…冷水用被覆流体管、２３…温水用被覆流体管。
【図１】
2004340223.tif 000003
【図２】
2004340223.tif 000004
【図３】
2004340223.tif 000005
【図４】
2004340223.tif 000006